【手続補正書】
【提出日】平成21年8月28日(2009.8.28)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】
樹脂材料によって形成された遊技盤の表面に、遊技球が流下する態様を変化させ得る多数の軸状部材を有する遊技機であって、
前記遊技盤の表面と裏面とを貫通する貫通孔と、
前記貫通孔に挿設可能であり前記遊技盤に用いられる樹脂材料よりも弾性回復性の高い介在部材と、
を備え、
前記軸状部材の全部または一部は、前記貫通孔に挿設された前記介在部材に打ち込まれることによって前記遊技盤側に取り付けられるように構成されていることを特徴とする遊技機。
【請求項２】
請求項１に記載の遊技機であって、
前記貫通孔のうち前記遊技盤の裏面側には、当該貫通孔の内径が前記介在部材の外径よりも拡張された拡径部が設けられていることを特徴とする遊技機。
【請求項３】
請求項１または２に記載の遊技機であって、
前記介在部材の軸長さと前記貫通孔の孔長さが同様であることを特徴とする遊技機。
【発明の詳細な説明】
【０００１】
【発明の属する技術分野】
本発明は、遊技機を構成する遊技盤の構築技術に関する。
【０００２】
【従来の技術】
近年、遊技機におけるリサイクル化の積極的な取り組みが進み、従来ベニア板によって形成されている遊技盤をリサイクル性に優れた材料によって形成するという技術に対する要請が高い。例えば、遊技盤を樹脂材料によって形成された板状部材によって構成するという技術が公知である（例えば、特許文献１参照。）。この技術に記載の遊技盤は、樹脂材料によって形成されているためリサイクル化を図るうえで有利である。ところが、樹脂材料によって形成された樹脂製遊技盤は、当該遊技盤自体が材料的にリサイクル性に優れているというメリットがある反面、ベニア板の遊技盤に使用されている遊技釘をそのまま用いるのが難しいというデメリットを抱えている。すなわち、樹脂材料はベニア板のような木質材料に比して弾性回復性が低いため、遊技釘を樹脂製遊技盤に打ち込みにくく、また遊技釘を樹脂製遊技盤に一旦打ち込んだとしても釘調整をする際に遊技釘が緩み易い。このような問題を解消するには、例えば特許文献１に記載のように特殊な形状の遊技釘を用いることも考えられるが、このような対策によっても釘調整をする際の遊技釘の緩み易さは依然として解消されない。また、特殊な形状の遊技釘を用いると、一旦遊技盤に取り付けた遊技釘を取り外しにくく分解性が低いため、遊技盤を樹脂材料によって形成したとしても、遊技盤の分解性が低いことがリサイクル性を向上させるうえで阻害要因となる。
【０００３】
【特許文献１】
特開２０００−８４１６４号公報
【０００４】
【発明が解決しようとする課題】
そこで、本発明は、かかる点に鑑みてなされたものであり、遊技機において、樹脂材料を用いて形成された遊技盤の合理的な構築技術を提供することを課題とする。
【０００５】
【課題を解決するための手段】
前記課題を達成するために、上記請求項に記載の発明が構成される。なお、本発明は、樹脂材料によって遊技盤を形成したうえで、さらにこのような遊技盤の抱えている問題点を解消することによって、遊技盤の合理的な構築技術を実現する技術である。
【０００６】
本発明にかかる遊技機は、少なくとも遊技盤、軸状部材、貫通孔、介在部材によって構成される。遊技盤は樹脂材料によって形成されており、当該遊技盤の表面に多数の軸状部材が取り付けられる。例えば、遊技盤の全体または一部を所定の樹脂材料によって形成することができる。軸状部材は、遊技盤の表面に形成される遊技領域において流下する遊技球の流下態様、例えば流下方向、流下時間等を変化させることができる部材であり、典型的には軸部と頭部からなる遊技釘（障害釘）が当該部材に相当する。その他、ピン状の部材、ネジ部材等であっても、軸状に延在する部位を有する部材であれば、本発明における「軸状部材」の範疇に含まれるものとする。介在部材は、遊技盤の表面と裏面とを貫通する貫通孔に挿設可能であり樹脂材料よりも高い弾性回復性（弾性復元性）を有する。本明細書中における「弾性回復性」とは、弾性変形を与える外力を除いたとき、初期形状に戻ろうとする性質であり、例えば木質材料が、本発明の介在部材を構成するのに有効な材料の典型例である。その他、本発明の介在部材を構成する材料として、ゴム材料や、遊技盤を構成する樹脂材料よりも弾性回復性の高い樹脂材料（軟質性の樹脂）を用いることもできる。本発明では、このような構成の介在部材に軸状部材の全部または一部が打ち込まれることによって、当該軸状部材が遊技盤側に取り付けられる構成になっている。
【０００７】
本発明のこのような構成によれば、遊技盤の貫通孔と軸状部材との間に弾性回復性の高い介在部材を介在させることによって、遊技盤を所定の樹脂材料で構成した場合であっても、遊技盤側への軸状部材の取り付けが可能となる。また、本発明では、弾性回復性の高い介在部材に軸状部材が打ち込まれるため、当該軸状部材の取り付け状態の調整、例えば遊技釘における釘調整が許容される。特に、木質材料を用いて介在部材を構成する場合は、ベニア製の遊技盤に直接軸状部材が打ち込まれた構成において軸状部材の取り付け状態の調整を行うのと同様の感覚で軸状部材の取り付け状態の調整を行うことができる。このように、本発明によれば、樹脂材料によって遊技盤を形成したうえで、さらにこのような遊技盤の抱えている問題点を解消することが可能となる。
【０００８】
また、本発明のこのような構成によれば、介在部材に打ち込まれた軸状部材を当該介在部材ごと遊技盤側から取り外すことが可能であり分解性の高い遊技盤を実現することができる。特に介在部材をハンマー等によって遊技盤の裏面側から叩き出すのに有効である。従って、遊技盤自在を樹脂材料によって形成することに加え、遊技盤を分解性の高い構造にすることによって、リサイクル性に優れた遊技盤を構築することが可能となる。
【０００９】
また本発明にかかる更なる形態の遊技機では、貫通孔に拡径部が設けられている。この拡径部は、貫通孔のうち遊技盤の裏面側の部位において、その内径が介在部材の外径よりも拡張された箇所である。この拡張部の構成としては、例えば段差状（段付き形状）、テーパー形状（傾斜状）等の態様がある。本態様のこのような構成は、介在部材に打ち込まれた軸状部材を当該介在部材ごと遊技盤の裏面側から取り外すのに有効である。すなわち、介在部材をハンマー等によって遊技盤の裏面側から叩き出すのに拡径部を用いることによって介在部材の分解性が高まる。この拡径部の径は、介在部材の取り外しに用いるハンマー等の大きさ、例えばハンマーの頭部の大きさに対応しているのが好ましい。
【００１０】
また本発明にかかる更なる形態の遊技機では、介在部材の軸長さと貫通孔の孔長さが同様となっている。すなわち、介在部材を貫通孔に挿設した場合に、遊技盤の表面側および裏面側において介在部材および貫通孔の端部同士が面一となる。本態様のこのような構成によれば、軸状部材を介在部材に打ち込む際に、平面の作業台上に遊技盤を載置した状態で介在部材の端部が作業台の表面に当接（接触）することとなるため、当該軸状部材の打ち込みが容易になる。
【００１１】
【発明の実施の形態】
以下に、本発明の遊技機の一実施の形態であるパチンコ機１０１につき図面を参照しつつ詳細に説明する。まず、図１〜図４に基づいて本実施の形態のパチンコ機１０１の構成を説明する。ここで、図１は本発明の遊技機の一実施の形態であるパチンコ機１０１の遊技盤１０３の全体構成を示す図である。図２は図１中の遊技盤１０３の断面構造を示す図である。図３は図２中の介在部材１２０の構成を示す斜視図であり、図４は当該介在部材１２０の構成を示す正面図である。
なお、本実施の形態は、本発明を「遊技機」のひとつであるパチンコ機に適用したものである。
【００１２】
図１に示すパチンコ機１０１は、いわゆる「第１種パチンコ機」と呼称される機種である。このパチンコ機１０１の遊技盤１０３の表面に形成された遊技領域１０５には、第１種始動口１１０、表示装置１１１、大入賞口（図示省略）を開閉する開閉部材１１２、通過口１１３、風車１１４、各種の入賞口１１５、多数の遊技釘１１６等が配置されている。表示装置１１１は、第１種始動口１１０に遊技球（パチンコ球）が入賞すると、表示画面１１１ａに大当たりに関与する図柄や背景の変動を開始する。大当たりの場合は、表示装置１１１に大当たり図柄の配列が表示されるとともに、開閉部材１１２が開閉動作される大当たり遊技状態となる。通過口１１３は、遊技球が通過したことを検出する。風車１１４は、遊技球の流下経路を、例えば風車１１４の右側ないし左側へと変える機能を有する。入賞口１１５は、当該入賞口１１５に入賞した個数にしたがって賞球を付与する。遊技釘１１６は、遊技球の流下態様（流下方向、流下時間等）に影響を与える金属製の釘であり、遊技盤１０３面の必要箇所に多数配置されている。この遊技釘１１６が本発明における「軸状部材」に対応している。
【００１３】
本実施の形態の遊技盤１０３は、盤全体が樹脂製の板状部材、例えば透明性の高いポリカーボネート樹脂によって構成されている。この遊技盤１０３が、本発明における「遊技盤」に対応している。この遊技盤１０３は、盤全体が樹脂材料によって形成されているためリサイクル性に優れている。また、透明性の高い樹脂によって形成された遊技盤１０３を用いることにより、遊技者は、遊技盤１０３の裏面側に配置される表示装置１１１の表示画面１１１ａを遊技盤を通して視認可能となるため、遊技領域１０５を狭くすることなく表示装置１１１を大型化するのに有効である。表示装置１１１を大型化することにより、ビジュアル演出に対する要請にこたえることができ、遊技に対する遊技者の興趣を高めることができる。
【００１４】
図２に示すように、遊技盤１０３には全ての遊技釘１１６のうち、その一部である調整釘１１８に対応して図２中の貫通孔１０３ｃが設けられている。この貫通孔１０３ｃの孔径は、当該貫通孔１０３ｃが延在する方向に関して同一になっている。なお、図１では、遊技釘１１６のうち調整釘１１８を黒塗りの丸によって示し、その他の遊技釘を白抜きの丸によって示す。この調整釘１１８としては、遊技釘１１６のうち釘調整を行うことが予想される釘が選定される。例えば、第１種始動口１１０の上流、開閉部材１１２の上流、通過口１１３の上流、風車１１４の上流および下流、入賞口１１５の上流等に調整釘１１８が配置される。この調整釘１１８は、例えば所定の傾斜角度θだけ前上方に傾斜させた状態で配置される。なお、図１中の調整釘１１８以外の遊技釘を、釘調整を行うことが予想される釘として選定することもできる。
【００１５】
図２に示すように、貫通孔１０３ｃは、遊技盤１０３の表面１０３ａと裏面１０３ｂとの間を貫通する構成を有する。この貫通孔１０３ｃが、本発明における「貫通孔」に対応している。また、貫通孔１０３ｃのうち遊技盤１０３の裏面１０３ｂ側には、当該貫通孔１０３ｃの内径が介在部材１２０の外径よりも拡張された拡径部１０４が設けられている。この拡径部１０４は、貫通孔１０３ｃのうち遊技盤１０３の裏面１０３ｂ側を段差状（段付き形状）にすることによって形成される。この拡径部１０４が、本明細書中の態様２における「拡径部」に対応している。この拡径部１０４をテーパー形状とすることもできる。
【００１６】
本実施の形態では、介在部材１２０が貫通孔１０３ｃに挿入された状態で、当該介在部材１２０に調整釘１１８が打ち込まれることによって、当該調整釘１１８が介在部材１２０を介して遊技盤１０３側に取り付けられるようになっている。
また、本実施の形態では、介在部材１２０の遊技盤１０３の厚み方向に関する軸長さ、すなわち前端１２０ａと後端１２０ｂとの間の距離が、貫通孔１０３ｃの孔長さおよび遊技盤１０３の厚みと同様（同程度）とになるように構成されている。また、本実施の形態では、貫通孔１０３ｃの拡径部１０４の凹み深さＬ２と調整釘１１８が介在部材１２０に打ち込まれる深さＬ１が同様（同程度）とになるように構成されている。また、本実施の形態では、貫通孔１０３ｃの内面に介在部材１２０の後述する突出部１２１ａ，１２２ａが係合（嵌合）可能な溝部１０３ｄが設けられている。この溝部１０３ｄが、本明細書中の態様５における「被係合部」に対応している。
【００１７】
介在部材１２０は、図３および図４に示すように、第１構成部材１２１と第２構成部材１２２とを図３中の矢印方向に重ね合わせることによって略円柱形状を形成するようになっている。すなわち、この介在部材１２０は、当該介在部材１２０の軸方向に沿って２部材に分割可能な第１構成部材１２１および第２構成部材１２２によって構成されている。これら第１構成部材１２１および第２構成部材１２２が、本明細書中の態様６における「構成部材」に対応している。本実施の形態では、この第１構成部材１２１と第２構成部材１２２との重ね合わせ面（本明細書中の態様６における「構成部材間の領域」に対応している）に向けて調整釘１１８が打ち込まれるようになっている。
【００１８】
介在部材１２０において第１構成部材１２１および第２構成部材１２２には、各々の外周部分に軸方向に延在する突出部１２１ａ，１２２ａが設けられている。この突出部１２１ａ，１２２ａが、本明細書中の態様５における「凸部」ないし「係合部」に対応している。介在部材１２０が貫通孔１０３ｃされた状態では、突出部１２１ａ，１２２ａが係合溝１０３ｄに係合（嵌合）するようになっている。この状態では、介在部材１２０は、貫通孔１０３ｃ内において軸まわりに回転する動作が規制されることとなる。上記構成の第１構成部材１２１および第２構成部材１２２は、例えば木材のような木質材料によって形成される。木質材料によって形成された介在部材１２０は、例えばポリカーボネート樹脂によって形成された遊技盤１０３よりも高い弾性回復性（弾性復元性）を有する。この介在部材１２０が、本発明における「介在部材」に対応している。
【００１９】
次に、上記の構成の介在部材１２０および調整釘１１８を遊技盤１０３側に取り付ける際の取り付け作業および取り外す際の取り外し作業の一例を、図５〜図８に基づいて説明する。ここで、図５は遊技盤１０３の貫通孔１０３ｃに介在部材１２０を挿設する様子を示す図であり、図６は遊技盤１０３の貫通孔１０３ｃに挿設された介在部材１２０に対し調整釘１１８を打ち込む様子を示す図である。図７および図８は、調整釘１１８を介在部材１２０ごと遊技盤１０３の貫通孔１０３ｃから叩き出す様子を示す図である。
【００２０】
介在部材１２０を遊技盤１０３側に取り付ける場合は、図５に示すように、まず遊技盤１０３を作業台１３０上に載置する。この作業台１３０としては、例えば、水平面に沿ったＸ−Ｙ座標上を移動可能な構成のものを用いる。そして、調整釘１１８に対応した貫通孔１０３ｃの各々に介在部材１２０を第１構成部材１２１および第２構成部材１２２を互いに重ね合わせた状態で挿入する。これにより、介在部材１２０側の突出部１２１ａ，１２２ａは、貫通孔１０３ｃ側の溝部１０３ｄに係合（嵌合）することとなる。なお、本実施の形態では、このとき介在部材１２０と貫通孔１０３ｃとの間にある程度の隙間が形成させるように構成されている。従って、専用の器具等を用いることなく、介在部材１２０を挿設することができる。このとき、介在部材１２０の軸長さが貫通孔１０３ｃの孔長さおよび遊技盤１０３の厚みと同様（同程度）であるため、介在部材１２０が貫通孔１０３ｃに挿設された状態では、介在部材１２０の後端１２０ｂが作業台１３０に当接（接触）し、介在部材１２０の前端１２０ａが遊技盤１０３の表面１０３ａとほぼ面一となる。本実施の形態のこのような構成によれば、調整釘１１８を介在部材１２０に打ち込む際に、当該調整釘１１８の打ち込みが容易になる。
【００２１】
次に、図６に示すように、介在部材１２０の前端１２０ａ側において第１構成部材１２１と第２構成部材１２２との重ね合わせ面に向けて調整釘１１８を打ち込む。このとき、専用の釘打ち装置（図示省略）を用い、所定の傾斜角度θに対応して斜め方向から介在部材１２０に対し調整釘１１８を打ち込む。また、作業台１３０を水平面に沿ったＸ−Ｙ座標上において移動させつつ、調整釘１１８を遊技盤１０３面の複数箇所に打ち込む。このとき、介在部材１２０の第１構成部材１２１および第２構成部材１２２には、外径方向に拡がろうとする力が作用し、介在部材１２０と貫通孔１０３ｃとの間の隙間が埋まることとなる。この状態では、調整釘１１８が第１構成部材１２１および第２構成部材１２２によって保持されるとともに、第１構成部材１２１および第２構成部材１２２が貫通孔１０３ｃの内壁面に押し付けられるため、介在部材１２０が貫通孔１０３ｃから抜けるのが防止される。これにより、調整釘１１８は、介在部材１２０を介して遊技盤１０３側に確実に取り付けられることとなる。このとき、第１構成部材１２１および第２構成部材１２２の外周部分に設置した突出部１２１ａ，１２２ａは、当該介在部材１２０の回り止めとして作用する。
【００２２】
本実施の形態の遊技盤１０３のこのような構成によれば、遊技盤１０３の貫通孔１０３ｃと調整釘１１８との間に弾性回復性の高い介在部材１２０を介在させることによって、遊技盤１０３を所定の樹脂材料で構成した場合であっても、遊技盤１０３側への調整釘１１８の取り付けが可能となる。
【００２３】
介在部材１２０を介して遊技盤１０３側に取り付けられた調整釘１１８は、ハンマー等の手段（図示省略）によって叩くことによって釘調整がなされる。本実施の形態では、弾性回復性の高い介在部材１２０に調整釘１１８が打ち込まれるため、当該調整釘１１８の釘調整が許容される。特に、介在部材１２０を木材のような木質材料によって構成することにより、例えばベニア製の遊技盤に直接遊技釘が打ち込まれた遊技機において釘調整を行うのに慣れた作業者にとって違和感がない。また、本実施の形態では、介在部材１２０側の突出部１２１ａ，１２２ａが貫通孔１０３ｃ側の溝部１０３ｄと係合（嵌合）するため、調整釘１１８の釘調整をする際に、当該調整釘１１８が介在部材１２０ごと調整釘１１８の叩き方向に回転するのを阻止することができる。
【００２４】
また、上記のように一旦打ち込まれた調整釘１１８を遊技盤１０３側から取り外す場合は、図７に示すように、介在部材１２０を後端１２０ａ側からハンマー等の手段（図示省略）によって叩く。これにより、調整釘１１８は介在部材１２０ごと遊技盤１０３の表面１０３ａ側へと抜き出されていく。このとき、本実施の形態では貫通孔１０３ｃに拡径部１０４を設けているため、介在部材１２０を叩き出す作業を円滑に行うのに有効であり、介在部材１２０の分解性が高まる。この凹部１０４の径は、介在部材１２０の取り外しに用いるハンマー等の大きさ、例えばハンマーの頭部の大きさに対応しているのが好ましい。
【００２５】
そして、介在部材１２０が図８に示す位置まで抜き出されると、第１構成部材１２１および第２構成部材１２２が貫通孔１０３ｃの内壁面に押し付けられる力が弱まる。特に、本実施の形態では、貫通孔１０３ｃの拡径部１０４の凹み深さＬ２と調整釘１１８の打ち込み深さＬ１が同様（同程度）となるように構成したため、介在部材１２０を図８に示す位置まで叩き出すと、あとは手作業によって介在部材１２０を貫通孔１０３ｃから容易に抜き出すことができる。そして、貫通孔１０３ｃから抜き出した介在部材１２０は、更に調整釘１１８と分離される。本実施の形態では、貫通孔１０３ｃから叩き出された介在部材１２０がそのまま第１構成部材１２１と第２構成部材１２２とに分離される構成であるため、貫通孔１０３ｃから一旦叩き出された介在部材１２０と、当該介在部材１２０に打ち込まれていた調整釘１１８とを専用の器具等を用いることなく手作業によって容易に分解することができる。従って、遊技盤１０３、調整釘１１８、介在部材１２０を材料別に分別するのに有効である。
【００２６】
本実施の形態の遊技盤１０３のこのような構成によれば、介在部材１２０に打ち込まれた調整釘１１８を当該介在部材１２０ごと遊技盤１０３側から取り外すことが可能であり分解性の高い遊技盤１０３を実現することができる。従って、遊技盤１０３自在を樹脂材料によって形成することに加え、遊技盤１０３を分解性の高い構造にすることによって、リサイクル性に優れた遊技盤１０３を構築することが可能となる。
【００２７】
（他の実施の形態）
なお、本発明は上記実施の形態のみに限定されるものではなく、本実施の形態に基づいた種々の応用例や変更例を想到することができる。例えば、本実施の形態を応用した以下の形態を実施することもできる。
【００２８】
上記実施の形態の介在部材１２０にかえて、例えば図９に示す介在部材２２０を用いることもできる。介在部材２２０は、介在部材１２０と同様に第１構成部材２２１と第２構成部材２２２とを互いに重ね合わせることによって略円柱形状を形成するようになっている。このとき、介在部材２２０の中央部分に当該介在部材２２０を貫通する貫通孔２２０ａが形成される。この貫通孔２２０ａは、調整釘１１８が打ち込まれる方向に沿って延在し当該調整釘１１８の径よりも小さい径を有する。この貫通孔２２０ａが本明細書中の態様７における「孔部」に対応しており、介在部材２２０の構成が本明細書中の態様７に記載の構成に相当する。このような構成において、介在部材２２０の貫通孔２２０ａに向けて調整釘１１８が打ち込まれる。これにより、調整釘１１８が第１構成部材２２１および第２構成部材２２２によって保持されるとともに、第１構成部材２２１および第２構成部材２２２が貫通孔１０３ｃの内壁面に押し付けられるため、介在部材２２０が貫通孔１０３ｃから抜けるのが防止される。このような構成によれば、介在部材２２０に調整釘１１８を打ち込む際、調整釘１１８の打ち込み作業を円滑化することができる。
【００２９】
また、上記実施の形態では、遊技盤１０３に設けられた貫通孔１０３ｃの孔径がその延在方向に関して同一となる場合について記載したが、貫通孔１０３ｃの孔径が延在方向に関して徐変とされた構成を用いることもできる。例えば図１０に示す構成では、表面１０３ａ側の孔径が裏面１０３ｂ側よりも拡張されたテーパー形状の貫通孔３０３ｃが用いられている。介在部材３２０はこの貫通孔３０３ｃに対応した形状であり、第１構成部材３２１と第２構成部材３２２とを互いに重ね合わせることによって円錐台を形成するようになっている。なお、必要に応じて介在部材３２０の外周に突出部１２１ａ，１２２ａと同様の部位を設け、貫通孔３０３ｃの内周面に溝部１０３ｄと同様の部位を設けることもできる。このような構成によっても上記実施の形態の構成と同様の作用効果を奏する。特には、貫通孔３０３ｃおよび介在部材３２０をテーパー形状とすることによって、貫通孔３０３ｃに対する介在部材３２０の取り付け強度が高まる。
【００３０】
また、上記実施の形態では、１つの調整釘１１８に対し１つの介在部材１２０を用いる構成について記載したが、１つの介在部材を複数の調整釘１１８に兼用した構成を用いることもできる。例えば、図１１に示すような介在部材４２０を用いることができる。この介在部材４２０は、介在部材１２０と同様に第１構成部材４２１と第２構成部材４２２との２部材に分割可能であり、図１１では３つの調整釘１１８に兼用となっている。この場合、遊技盤１０３の裏面１０３ｂを介在部材４２０の形状に対応した形状とする。このような構成によれば複数の介在部材をブロック化することができ合理的である。
【００３１】
また、遊技盤１０３のうち上記実施の形態とは別の箇所に介在部材１２０の構成を用いることもできる。例えば図１２に示すように、遊技盤１０３のうち表示装置１１１の表示画面１１１ａの前面に調整釘１１８を設ける構成を用いることもできる。
【００３２】
また、上記実施の形態では、木材によって形成された介在部材１２０を用いる場合について記載したが、木材に類似する他の木質材料、例えば、ケナフ等の非木材植物類や、機械パルプ、化学パルプ、セミケミカルパルプ、及びこれらのリサイクルパルプ等のパルプ類（紙類）などを用いて介在部材１２０を構成することもできる。また、木質材料のような弾性回復性の高い材質であれば介在部材１２０の材質は必要に応じて種々変更可能である。遊技盤１０３を構成するポリカーボネート樹脂よりも弾性回復性の高い樹脂として、例えばポリアミド樹脂（ナイロン）やポリイミド樹脂を用いて介在部材１２０を構成したり、またゴム材料としてシリコンゴムを用いて介在部材１２０を構成することもできる。
【００３３】
また、上記実施の形態では、例えばポリカーボネート樹脂によって構成された遊技盤１０３について記載したが、遊技盤を構成する樹脂材料の種類は、必要に応じて種々変更可能である。例えば、ポリカーボネート樹脂よりも透明性の低い樹脂材料を用いることもできる。
【００３４】
また、介在部材１２０を介して遊技盤１０３側に取り付ける部材は、調整釘１１８のように釘状の部材に限定されない。例えば、ピン状の部材、ネジ部材等を対象とすることもできる。
【００３５】
また、上記実施の形態や種々の変更の形態に鑑み、本発明では以下の態様１〜態様６に記載の構成を採り得る。
【００３６】
（態様１）
「請求項２に記載の遊技機であって、
前記介在部材の軸長さと前記貫通孔の孔長さが同様であり、しかも前記貫通孔の拡径部の深さと前記軸状部材が前記介在部材に打ち込まれる深さが同様であることを特徴とする遊技機。」
【００３７】
この態様１では、請求項２に記載の構成において、介在部材の軸長さと貫通孔の孔長さが同様であるうえに、貫通孔の拡径部の深さと軸状部材が介在部材に打ち込まれる深さが同様（同程度）となっている。本態様のこのような構成によれば、遊技盤の裏面側から拡径部を用いて介在部材を叩き出したとき、当該介在部材が遊技盤の裏面側へ突出する突出量を、軸状部材の打ち込み深さと同様（同程度）とすることができる。従って、介在部材を叩き出すことによって軸状部材の打ち込みにより介在部材に作用していた力が開放され軸状部材を介在部材から分離させ易くなるため、遊技盤の分解性が高まる。
【００３８】
（態様２）
「請求項１〜３、態様１のいずれかに記載の遊技機であって、
前記介在部材は、その外周部分に凸部または凹部を有する係合部を備え、前記貫通孔は、その内面に前記係合部が係合可能な被係合部を備え、前記係合部および被係合部が係合した状態において前記貫通孔に対する前記介在部材の動作が規制されるように構成されていることを特徴とする遊技機。」
【００３９】
この態様２では、請求項１〜３、態様１のいずれかに記載の構成において、介在部材の外周部分に設けられた係合部が、前記貫通孔の内面に形成された被係合部に係合可能になっている。例えば、係合部の外周部分に凸部を設け、貫通孔の内壁部に当該凸部に対応した凹部を設ける態様や、係合部の外周部分に凹部を設け、貫通孔の内壁部に当該凹部に対応した凸部を設ける態様等がある。本態様のこのような構成によれば、介在部材が貫通孔に挿設された状態で、係合部および被係合部が係合することによって、貫通孔に対する介在部材の動作が規制されることとなる。ここでいう「貫通孔に対する介在部材の動作」とは、介在部材が貫通孔のまわりに回転する動作、介在部材が貫通孔の延在方向に移動する動作等を広く含む主旨である。本態様のこのような構成は、例えば介在部材に打ち込まれた軸状部材の取り付け状態の調整、具体的には遊技釘における釘調整をする際に、遊技釘が介在部材ごと遊技釘の叩き方向に回転するのを阻止するのに有効である。
【００４０】
（態様３）
「請求項１〜３、態様１、態様２のいずれかに記載の遊技機であって、
前記介在部材は、当該介在部材の軸方向に沿って分割可能な複数の構成部材によって構成され、前記構成部材間の領域へ向けて前記軸状部材が打ち込まれる構成であることを特徴とする遊技機。」
【００４１】
この態様３では、請求項１〜３、態様１、態様２のいずれかに記載の構成において、介在部材は、当該介在部材の軸方向に沿って分割可能な複数の構成部材によって構成されている。また、構成部材間の領域へ向けて軸状部材が打ち込まれる構成になっている。本態様のこのような構成によれば、軸状部材を介在部材に打ち込むとき、当該介在部材の各構成部材には外径方向に拡がろうとする力が作用する。この状態では、軸状部材が各構成部材によって保持されるとともに、各構成部材が貫通孔の内壁面に押し付けられるため、介在部材が貫通孔から抜けるのが防止される。また、本態様のこのような構成によれば、介在部材を貫通孔から抜き出したときに、介在部材と軸状部材を容易に分離することができる。すなわち、貫通孔から一旦抜き出された介在部材と、当該介在部材に打ち込まれていた軸状部材とを、例えば専用の器具を用いることなく手作業によって容易に分解することが可能となる。従って、本態様を用いれば、遊技盤、軸状部材、介在部材を材料別に分別するのに有効である。なお、介在部材を構成する構成部材の数（介在部材を分割可能な数）、形状等は必要に応じて適宜設定可能である。
【００４２】
（態様４）
「請求項１〜３、態様１〜態様３のいずれかに記載の遊技機であって、
前記介在部材において前記軸状部材が打ち込まれる箇所には、当該軸状部材が打ち込まれる方向に沿って延在し当該軸状部材の径よりも小さい径の孔部が設けられていることを特徴とする遊技機。
【００４３】
この態様４では、請求項１〜３、態様１〜態様３のいずれかに記載の構成において、介在部材において軸状部材が打ち込まれる箇所に孔部が設けられている。この孔部は、軸状部材が打ち込まれる方向に沿って延在し、当該軸状部材の径よりも小さい径を有する。この孔部は、介在部材を軸方向に貫通する構成であってもよいし、あるいは貫通しない構成であってもよい。本態様のこのような構成によれば、介在部材に軸状部材を打ち込む際、この孔部に向けて軸状部材を打ち込むことにより、軸状部材の打ち込み作業を円滑化することができる。
【００４４】
（態様５）
「請求項１〜３、態様１〜態様４のいずれかに記載の遊技機であって、
前記介在部材は、木質材料を用いて形成されていることを特徴とする遊技機。」
【００４５】
この態様５では、請求項１〜３、態様１〜態様４のいずれかに記載の構成において、介在部材が木質材料を用いて形成されている。なお、本態様における「木質材料」とは、木材そのものはもちろん、木材に類似する他の材料を広く含む主旨である。木材以外の他の材料としては、例えば、ケナフ等の非木材植物類や、機械パルプ、化学パルプ、セミケミカルパルプ、及びこれらのリサイクルパルプ等のパルプ類（紙類）などが挙げられる。従って、このような非木材植物類や、パルプ類の粉体やチップ等を、例えばポリプロピレンのような熱可塑性樹脂をバインダーとして集成、成型したような材料を、本態様における介在部材として用いることもできる。
本態様のこのような構成によれば、ベニア製の遊技盤に直接軸状部材が打ち込まれた構成において軸状部材の取り付け状態の調整を行うのと同様の感覚で軸状部材の取り付け状態の調整を行うことができる。従って、例えばベニア製の遊技盤に直接遊技釘が打ち込まれた遊技機において釘調整を行うのに慣れた作業者にとって違和感がない。
【００４６】
（態様６）
「請求項１〜３、態様１〜態様５のいずれかに記載の遊技機であって、
前記遊技盤は、透明性の高い樹脂材料によって形成されていることを特徴とする遊技機。」
【００４７】
この態様６では、請求項１〜３、態様１〜態様５のいずれかに記載の構成において、遊技盤が透明性の高い樹脂材料によって形成されている。例えば、ポリカーボネート樹脂がこの樹脂材料の典型例である。「透明性が高い」との態様としては、無色透明、有色透明、乳白色等がある。本態様のこのような構成によれば、遊技者は、遊技盤の裏面側に配置される表示装置の表示画面を遊技盤を通して視認可能となるため、表示装置を大型化するのに有効である。表示装置を大型化することにより、ビジュアル演出に対する要請にこたえることができ、遊技に対する遊技者の興趣を高めることができる。なお、この表示装置としては、第１種パチンコ機と称呼される遊技機において、大当たりに関与する図柄や背景を変動表示する表示装置が本態様の表示装置の典型例である。
【００４８】
【発明の効果】
以上説明したように、本発明によれば、遊技機において、樹脂材料を用いて形成された遊技盤の合理的な構築技術が実現されることとなった。
【図面の簡単な説明】
【図１】
本発明の遊技機の一実施の形態であるパチンコ機１０１の遊技盤１０３の全体構成を示す図である。
【図２】
図１中の遊技盤１０３の断面構造を示す図である。
【図３】
図２中の介在部材１２０の構成を示す斜視図である。
【図４】
図２中の介在部材１２０の構成を示す正面図である。
【図５】
遊技盤１０３の貫通孔１０３ｃに介在部材１２０を挿設する様子を示す図である。
【図６】
遊技盤１０３の貫通孔１０３ｃに挿設された介在部材１２０に対し調整釘１１８を打ち込む様子を示す図である。
【図７】
調整釘１１８を介在部材１２０ごと遊技盤１０３の貫通孔１０３ｃから叩き出す様子を示す図である。
【図８】
調整釘１１８を介在部材１２０ごと遊技盤１０３の貫通孔１０３ｃから叩き出す様子を示す図である。
【図９】
別の実施の形態の介在部材２２０の構成を示す正面図である。
【図１０】
別の実施の形態の介在部材３２０の構成を示す正面図である。
【図１１】
別の実施の形態の介在部材４２０の構成を示す正面図である。
【図１２】
遊技盤１０３のうち表示画面１１１ａの前面に調整釘１１８を配置した場合の構成を示す図である。
【符号の説明】
１０１  パチンコ機
１０３  遊技盤
１０３ｃ  貫通孔
１０３ｄ  溝部
１０４  拡径部
１０５  遊技領域
１１０  第１種始動口
１１１  表示装置
１１１ａ  表示画面
１１２  開閉部材
１１３  通過口
１１４  風車
１１５  入賞口
１１６  遊技釘
１１８  調整釘
１２０  介在部材
１２１  第１構成部材
１２１ａ，１２２ｂ  突出部
１２２  第２構成部材